(57)【要約】【課題】高さが異なる制光装置の選択に応じた遮光角を形成できるとともに、前記選択に拘わらずに専用の設置装置を要しないで天井に埋め込み設置できる照明器具を提供する。【解決手段】点灯装置25が取付けられた器具本体12が、設置装置31と、天井裏の吊りボルト3及びこれに螺合するナット4を用いて天井1の埋め込み孔2に埋め込み設置されるとともに、この器具本体12の下方に制光装置が配置される照明器具を前提とする。設置装置31は、埋め込み孔2の縁部に下方から引っ掛かる天井係止端部32aを有した一対のベース部材32と、これら部材32にわたって設けられて器具本体12を支持する本体支持部材35とを備える。本体支持部材35をベース部材32に上下に回転可能に連結する。設置装置31は、高さが異なる制光装置51A,51Bの選択に応じて本体支持部材35を回転させることによって器具本体12を相対的に低い位置と高い位置とで支持するようにしたことを特徴としている。【選択図】      図１
2009146818.tif 000002
【特許請求の範囲】
【請求項１】
天井裏の吊りボルト及びこれに螺合するナットを用いて天井の埋め込み孔に埋め込み設置される照明器具において、
前記吊りボルトが通されるボルト通孔が形成された本体上壁を有した器具本体と；
この器具本体に取付けられて前記器具本体に支持される光源を点灯させる点灯装置と；
前記埋め込み孔の縁部に下方から引っ掛かる天井係止端部を有して前記埋め込み孔に通される一対のベース部材、及びこれらベース部材に上下に回転可能に連結されて両ベース部材にわたって設けられているとともに前記器具本体を支持する本体支持部材とを備え、前記本体支持部が回転されることによって前記器具本体を相対的に低い位置と高い位置とで支持する複数の設置装置と；
前記光源を内側に配して前記器具本体の下方に配置されるとともに前記天井係止端部を覆うカバー部を有した制光装置と；
を具備したことを特徴とする照明器具。
【請求項２】
前記本体上壁の両側縁に連続した前記器具本体の本体側壁に係合孔が形成されているとともに、この係合孔に抜き差し可能に係合される係合端部を有した支持アームが、前記本体支持部材に設けられていることを特徴とする請求項１に記載の照明器具。
【請求項３】
前記器具本体が相対的に高い位置に配置された状態及び相対的に低い位置に配置された状態で前記器具本体を支持するように前記本体支持部材を前記ベース部材に位置決めする位置決め手段が、前記設置装置に設けられていることを特徴とする請求項１又は２に記載の照明器具。
【発明の詳細な説明】
【技術分野】
【０００１】
本発明は、天井裏の吊りボルトに器具本体が吊持されて天井に埋め込み設置される照明器具に関する。
【背景技術】
【０００２】
従来、天井スラブに吊持された支持バーの器具受け部に反射板を兼ねる器具本体の下面開放部を囲む縁が載置されるとともに、器具本体に連結された複数の取付け金具が支持バーの係止凸部に載置されるシステム天井用の照明器具において、取付け金具の高さを調整可能として、この調整により、高さが異なる複数種の支持バー上に設置することを可能とした照明器具が知られている（例えば、特許文献１参照。）。
【０００３】
詳しくは、取付け金具は、器具本体に固定されたベース金具部材と、この金具部材の下向きの両連結部に上下に位置調整可能に取付けられて支持バーの係止凸部に載置される一対の端部金具部材とを備えている。そして、連結部の互いに異なる高さ位置に位置決め部が設けられていて、これら位置決め部の内で支持バーの係止凸部の高さに応じて選択された位置決め部に、連結手段により端部金具部材を連結することで、端部金具部材の高さ位置を支持バーの高さに適合させて、照明器具を支持バー上に支持するようになっている。
【特許文献１】特開２００４−３６２７８３号公報（段落0013−0065、図１−図１４）
【発明の開示】
【発明が解決しようとする課題】
【０００４】
特許文献１の照明器具は、器具本体が載置される支持バーの高さに適合させて、取付け金具が備えた端部金具部材の高さ位置を調整可能としたので、器具本体の高さ位置は、端部金具部材の高さ位置の調整に拘わらず変わることがなく、それに伴い遮光角も一定である。
【０００５】
なお、特許文献１の照明器具で、端部金具部材の高さ位置の調整を行わない場合は、支持バーに対する器具本体の高さ位置が変わるが、各種支持バーの高さは大きく異なるものではないため、高さ寸法が異なる制光装置を器具本体の下方に配置できるほど大きく、器具本体の高さ位置を変えることができないとともに、こうした制光装置の選択により所望とする遮光角を得ることも不可能である。
【０００６】
ところで、器具本体の下方に配置される制光装置としては、下面が開放された反射板からなる制光装置、及び反射板の内側に更にバッフル等のアクセサリーを取付けてなる制光装置が知られている。そして、これらの制光装置を備えた照明器具は、既述のシステム天井用照明器具ではなく、天井裏の吊りボルトに器具本体が吊持されて天井に埋め込み設置される照明器具において実施されている。
【０００７】
この種の埋め込み型の照明器具では、下面開放型の照明器具の器具本体とアクセサリー付きの照明器具の器具本体の高さ位置が異なっているので、それに応じた遮光角を夫々の照明器具で得ている。しかし、そのために、器具本体を異なる高さ位置に配置する専用の設置装置を必要としている。
【０００８】
本発明の目的は、高さが異なる制光装置の選択に応じた遮光角を形成できるとともに、前記選択に拘わらずに専用の設置装置を要しないで天井に埋め込み設置できる照明器具を提供することにある。
【課題を解決するための手段】
【０００９】
請求項１の発明は、天井裏の吊りボルト及びこれに螺合するナットを用いて天井の埋め込み孔に埋め込み設置される照明器具において、前記吊りボルトが通されるボルト通孔が形成された本体上壁を有した器具本体と；この器具本体に取付けられて前記器具本体に支持される光源を点灯させる点灯装置と；前記埋め込み孔の縁部に下方から引っ掛かる天井係止端部を有して前記埋め込み孔に通される一対のベース部材、及びこれらベース部材に上下に回転可能に連結されて両ベース部材にわたって設けられているとともに前記器具本体を支持する本体支持部材とを備え、前記本体支持部が回転されることによって前記器具本体を相対的に低い位置と高い位置とで支持する複数の設置装置と；前記光源を内側に配して前記器具本体の下方に配置されるとともに前記天井係止端部を覆うカバー部を有した制光装置と；を具備したことを特徴としている。
【００１０】
この請求項１の発明の照明器具を下面開放型の照明器具として実施する場合、制光装置には、下面が開放された反射板が採用され、又、アクセサリー付きの照明器具として実施する場合、制光装置には、バッフル等のアクセサリー付きの反射板が使用される。アクセサリー付きの制光装置の高さは、下面が開放された反射板からなる制光装置の高さより高いとともに、下面開放型の照明器具として実施した場合の器具本体の高さ位置は、アクセサリー付きの照明器具として実施した場合の器具本体の高さ位置より低い。
【００１１】
請求項１の発明が下面開放型の照明器具として実施される場合は、設置装置の本体支持部材が高い位置から下方に回転移動されて低い位置に配置され、この低い位置に応じた高さ位置に器具本体が配置されるとともに、その器具本体の下方に下面開放型の反射板からなる制光装置が配置される。これにより、前記低い位置に応じた高さに配置された器具本体を備えた照明器具の遮光角は小さく形成される。又、請求項１の発明がアクセサリー付きの照明器具として実施される場合は、設置装置の本体支持部材が低い位置から上方に回転移動されて高い位置に配置され、この高い位置に応じた高さ位置に器具本体が配置されるとともに、その器具本体の下方にアクセサリー付きの制光装置が配置される。これにより、前記高い位置に応じた高さ位置に配置された器具本体を備えたアクセサリー付きの照明器具の遮光角は大きく形成される。
【００１２】
以上のように請求項１の発明では、天井への埋め込み設置現場での照明器具の組立てに際して、高さが異なる制光装置の選択に適合できるとともに、その選択に応じた遮光角を形成した照明器具を組立てることができる。そのため、設置装置等を、下面開放型の照明器具及びアクセサリー付きの照明器具の共通部品とできる。したがって、請求項１の発明の照明器具は、既述の制光装置の選択に拘わらずに専用の設置装置を要しないで天井に埋め込み設置することができる。
【００１３】
請求項２の発明は、請求項１の発明において、前記本体上壁の両側縁に連続した前記器具本体の本体側壁に係合孔が形成されているとともに、この係合孔に抜き差し可能に係合される係合端部を有した支持アームが、前記本体支持部材に設けられていることを特徴としている。
【００１４】
この請求項２の発明では、器具本体の本体側壁を撓ませることで、その係合孔と支持アームの係合端部との係合を外すことができる。このため、係合端部を係合孔から抜出した上で本体支持部材を１８０度上下に反転した状態で、再び係合孔に係合端部を差込んで本体支持部材に器具本体を支持できる。それにより、器具本体を上下逆様に反転することなく相対的に高い位置と低い位置とのいずれかの位置に配置できる。これとともに、例えば器具本体と本体支持部材とを枢軸等で連結する等の複雑な構成を採用することなく、簡単な構成で、器具本体を上下逆様に反転させることなく器具本体の高さ位置を変えることができる。
【００１５】
請求項３の発明は、請求項１又は２の発明において、前記器具本体が相対的に高い位置に配置された状態及び相対的に低い位置に配置された状態で前記器具本体を支持するように前記本体支持部材を前記ベース部材に位置決めする位置決め手段が、前記設置装置に設けられていることを特徴としている。
【００１６】
この請求項３の発明では、本体支持部材が１８０度上下に反転された場合に、その回転位置で、位置決め手段により本体支持部材がベース部材に対して不用意に回転しないように位置決めされるので、器具本体を相対的に高い位置又は相対的に低い位置のいずれか所望の位置に保持できる。このため、器具本体の動揺が抑制された状態を得て、天井への埋め込み設置作業を行うことができる。
【発明の効果】
【００１７】
請求項１の発明の照明器具によれば、高さが異なる制光装置の選択に応じた遮光角を形成できるとともに、前記選択に拘わらずに専用の設置装置を要しないで天井に埋め込み設置することができる。
【００１８】
請求項２の発明の照明器具によれば、請求項１の発明において、更に、簡単な構成でありながら器具本体を上下逆様に反転させることなく器具本体の高さ位置を変えることができる。
【００１９】
請求項３の発明の照明器具によれば、請求項１又は２の発明において、更に、天井への埋め込み設置作業の際、ベース部材に対する本体支持部材の不用意な回転を原因とする器具本体の動揺が抑制された状態を得て、埋め込み設置作業を行うことができる。
【発明を実施するための最良の形態】
【００２０】
図面を参照して本発明を説明する。図１（Ａ）は下面が開放された埋め込み型の照明器具１１Ａとして実施した例を示す断面図、図１（Ｂ）は本発明をアクセサリー付き埋め込み型の照明器具１１Ｂとして実施した例を示す断面図である。これらの図中符号１は屋内の天井を示し、この天井１の所定箇所に照明器具１１Ａ又は１１Ｂが埋め込み設置される埋め込み孔２が開けられている。更に、天井裏には図示しない天井スラブから下向きに突設された吊りボルト３が設けられていて、これら吊りボルト３の下端は埋め込み孔２に対向している。吊りボルト３の下端部に照明器具１１Ａ又は１１Ｂを天井１に設置するためのナット４が螺合される。なお、図１（Ａ）（Ｂ）中符号５は吊りボルト３に嵌合される座金を示している。
【００２１】
図１（Ａ）に示した照明器具１１Ａは、器具本体１２と、光源２１と、点灯装置２５と、複数の設置装置３１と、制光装置５１Ａとを具備している。図１（Ｂ）に示した照明器具１１Ｂは、器具本体１２と、光源２１と、点灯装置２５と、複数の設置装置３１と、制光装置５１Ｂとを具備している。これらの照明器具１１Ａ，１１Ｂにおいて、器具本体１２、光源２１、点灯装置２５、及び設置装置３１は共通部品である。
【００２２】
図１〜図３に示すように器具本体１２は下面が開放された長方形の箱形状をなしている。図２に示すように器具本体１２が有した本体上壁１２ａの長手方向中央に電源線引込み孔１３が開けられているとともに、本体上壁１２ａの複数個所例えば長手方向両端部の夫々にボルト通孔１４が開けられている。ボルト通孔１４は本体上壁１２ａの長手方向に延びる長円形状をなしている。
【００２３】
なお、説明の都合上、図２は、電源線引込み孔１３を通る一点差線を境に左側が、照明器具１１Ａの器具本体１２に対する設置装置３１の配置を示し、前記一点鎖線を境に右側が照明器具１１Ｂの器具本体１２に対する設置装置３１の配置を示している。
【００２４】
図１及び図３に示すように器具本体が有した一対の本体側壁１２ｂの複数個所例えば長手方向両端部の夫々に係合孔１５が開けられている。これら係合孔１５は、本体側壁１２ｂの長手方向に延びる角孔からなるとともに、好ましい例として本体側壁１２ｂの高さ方向略中央位置に設けられている。
【００２５】
電源線引込み孔１３の近くに位置して電子安定器などの点灯装置２５が、本体上壁１２ａに固定されて器具本体１２に内蔵されている。ソケット取付け金具１７が器具本体１２内の長手方向両端部の夫々に固定されていて、これらソケット取付け金具１７の夫々にランプソケット１８が取付けられている。ランプソケット１８は器具本体１２の下面開放部を通って下方に突出されている。一対のランプソケット１８にはこれらにわたる光源２１が支持されている。光源２１には取外し可能な直管型の蛍光ランプが使用されている。光源２１は点灯装置２５によって点灯される。なお、本発明において、光源２１は蛍光ランプに代えて、所定の配置で並べられた半導体発光素子例えば複数のＬＥＤ（発光ダイオード）や有機ＥＬ素子等をプリント配線基板上に実装した構成を備えた光源を用いることもできる。
【００２６】
図２に示すように設置装置３１は例えば器具本体１２の長手両端部に夫々設けられている。これら設置装置３１は、鋼板製の一対のベース部材３２と、これらベース部材３２にわたって設けられた鋼板製の本体支持部材３５と、連結部材３９とを備えている。
【００２７】
図１及び図２に示すようにベース部材３２は上下方向に延びて埋め込み孔２に通されているとともに、その下端部に水平に折れ曲がった天井係止端部３２ａを有している。この天井係止端部３２ａは埋め込み孔２の縁部に下方から引っ掛かるようになっている。
【００２８】
本体支持部材３５は、水平状の主板部位３５ａと、この主板部位３５ａの長手方向両端から直角に折り曲げられた端板部位３５ｂとからなる。端板部位３５ｂの夫々は、一対のベース部材３２の相対向する側面上部に個別に重ね合わされていて、これら端板部位３５ｂとベース部材３２とが連結部材３９により連結されている。
【００２９】
連結部材３９は、金属製で図４に示すようにリベット状をなしていて、軸部３９ａの両端にこの軸部３９ａよりも大径な鍔部３９ｂを有している。この連結部材３９の軸部３９ａは、図４及び図５（Ａ）に示したベース部材３２の上部の孔３２ｃと、図４及び図６（Ａ）に示した端板部位３５ｂの孔３５ｃとを遊通している。又、一対の鍔部３９ｂは、ベース部材３２と本体支持部材３５との相対回転可能に許容する状態に互いに重なり合っているベース部材３２と端板部位３５ｂを挟んでいる。
【００３０】
したがって、一対のベース部材３２に対して本体支持部材３５が連結部材３９を中心にして上下に回転可能に連結されている。この回転により、設置装置３１は、器具本体１２を図１（Ａ）に示した低い位置と図１（Ｂ）に示した高い位置で支持するように、本体支持部３５をいずれかの位置に選択的に移動させるようになっている。
【００３１】
本体支持部材３５の主板部位３５ａには複数の支持アーム３６が設けられている。各支持アーム３６は、主板部位３５ａに対して端板部位３５ｂが折り曲げられた側に主板部位３５ａから切起こされていて、その先端部は直角に折り曲げられて係合端部３６ａをなしている。これらの支持アーム３６の上下方向の長さは、器具本体１２の高さの半分以上の長さに設定されている。
【００３２】
係合端部３６ａは、一対の端板部位３５ｂ間に配置された器具本体１２の係合孔１５に、器具本体１２の外側方から抜き差し可能に係合されている。この係合によって器具本体１２が設置装置３１に支持されている。係合孔１５に対する係合端部３６ａに抜き差しは、器具本体１２の本体側壁１２ｂを内側に可撓変形させることにより実現されるようになっている。
【００３３】
設置装置３１に位置決め手段４０（図４参照）が設けられている。位置決め手段４０は、器具本体１２が相対的に低い位置から相対的に高い位置に配置された状態で器具本体１２を支持するように本体支持部材３５をベース部材３２に位置決めするとともに、器具本体１２が相対的に高い位置から相対的に低い位置に配置された状態で器具本体１２を支持するように本体支持部材３５をベース部材３２に位置決めする。この位置決め手段４０は、位置決め孔４１と位置決め凸部４２とからなる。
【００３４】
図５（Ａ）（Ｂ）に示すように位置決め孔４１は、ベース部材３２の孔３２ｃを中心として、したがって、連結部材３９を中心として１８０度隔てて対称に設けられている。図６（Ａ）（Ｂ）に示すように位置決め凸部４２は、端板部位３５ｂの孔３５ｃを中心として１８０度隔てて対称に開けられている。これら一対の位置決め凸部４２は、本体支持部材３５の回転に伴って位置決め孔４１に係脱されて、その係合により、器具本体１２を支持する本体支持部材３５を位置決めするようになっている。
【００３５】
位置決め手段は図７〜図９に示すように形成することもできる。この例では、ベース部材３２の上部両側縁が位置決め縁４３として利用されており、これに係脱される位置決め凸部４４が本体支持部材３５の端板部位３５ｂに形成されている。一対の位置決め凸部４４は、端板部位３５ｂにその側縁に開放して切り込まれたスリット４５間の部位を円弧状に曲げることにより形成されている。これとともに、一対の位置決め凸部４４は連結部材３９を中心として１８０度隔たって対称に設けられている。
【００３６】
図７〜図９に示した位置決め手段により、図７（Ａ）に示すように端板部位３５ｂの先端縁が上を向くように本体支持部材３５が回転された状態で、一対の位置決め凸部４４がベース部材３２の位置決め縁４３に係合して、前記回転によって本体支持部材３５に支持された器具本体（図７〜図９では図示されない）が低い位置に配置された状態を保持できる。これとともに、図７〜図９に示した位置決め手段により、図７（Ｂ）に示すように端板部位３５ｂの先端縁が下を向くように本体支持部材３５が回転された状態で、一対の位置決め凸部４４がベース部材３２の位置決め縁４３に係合して、前記回転によって本体支持部材３５に支持された器具本体（図７〜図９では図示されない）が高い位置に配置された状態を保持できる。
【００３７】
なお、スリット４５間の部位で位置決め凸部４４が形成されているので、これら位置決め凸部４４は端板部位３５ｂの厚み方向に弾性変形できる。これにより、位置決め凸部４４を弾性変形させつつベース部材３２に摺動させながら本体支持部材３５を回転操作できるので、その操作が円滑であり過大な回転操作力を要することがない。
【００３８】
図１（Ａ）に示すように照明器具１１Ａ用の制光装置５１Ａは、反射板で形成されていて、下面が開放されている。すなわち、制光装置５１Ａは、水平状の反射天板の両側縁から斜め下方に反射側板を折り曲げるとともに、長手方向両端に夫々反射端板（図示しない）を取付けて形成されている。一対の反射端板の下縁と、相互間隔が下方に向かうに従い次第に広がって設けられた一対の反射側板の下縁は、図１（Ａ）に示された反射側板で代表して示すようにカバー部５２をなしている。反射側板に連続したカバー部５２は前記天井係止端部３２ａを覆って配設される。
【００３９】
この制光装置５１Ａはカバー部５２を天井１に複数の木ねじ（図示しない）で固定することにより器具本体１２の下方に配置されている。制光装置５１Ａの反射天板の長手方向両端部の夫々には、前記ランプソケット１８が挿通するソケット通孔（図示しない）が開けられている。このため、光源２１は制光装置５１Ａの内側に配置されるようになっている。
【００４０】
図１（Ｂ）に示すように照明器具１１Ｂ用の制光装置５１Ｂは、反射板を兼ねるアクセサリーホルダ５５と、この内側に配置されたバッフル等のアクセサリー５６を備えて形成されている。
【００４１】
アクセサリーホルダ５５は、水平状の反射天板の両側縁から下方に反射側板を折り曲げるとともに、長手方向両端に夫々反射端板（図示しない）を取付けて形成されている。このアクセサリーホルダ５５の下面は開放されているとともに、アクセサリーホルダ５５の高さは制光装置５１Ａの高さより高い。一対の反射端板の下縁と一対の反射側板の下縁は、図１（Ｂ）に示された反射側板で代表して示すようにカバー部５２をなしている。反射側板に連続したカバー部５２は前記天井係止端部３２ａを覆って配設される。
【００４２】
このアクセサリーホルダ５５はカバー部５２を天井１に複数の木ねじ（図示しない）で固定することにより器具本体１２の下方に配置されている。アクセサリーホルダ５５の反射天板の長手方向両端部の夫々には、前記ランプソケット１８が挿通するソケット通孔（図示しない）が開けられている。このため、光源２１は制光装置５１Ｂが有したアクセサリーホルダ５５の内側に配置されるようになっている。
【００４３】
アクセサリー５６は、アクセサリーホルダ５５の下部内側に配置されて、このアクセサリーホルダ５５に図示しない取付け手段により支持されている。
【００４４】
図１（Ａ）に示すように本体支持部材３５に支持された器具本体１２が低い位置に配置されている下面開放型の照明器具１１Ａは、以下の手順で天井１に埋め込み設置される。
【００４５】
まず、ランプソケット１８及び点灯装置２５が取付けられている器具本体１２が、本体支持部材３５の主板部位３５ａの上側に支持された状態となるように、設置装置３１を操作する。つまり、器具本体１２が低い位置に配置されるように本体支持部材３５をベース部材３２に対して回転させる。本体支持部材３５が所定の位置に回転されると、その位置で位置決め凸部４２が位置決め孔４１に係合する。これにより、器具本体１２が低い位置に配置された状態が保持される。
【００４６】
次に、器具本体１２及び設置装置３１を埋め込み孔２内に上向きに挿入して、設置装置３１の天井係止端部３２ａを埋め込み孔２の縁部に下方から引っ掛ける。この場合、前記挿入において器具本体１２のボルト通孔１４の夫々に上方から天井裏の吊りボルト３の先端部が通されるとともに、ベース部材３２に対する本体支持部材３５が、連結部材３９を支点として不用意に遊動しないように位置決め手段４０により保持されているので、ボルト通孔１４への吊りボルト３の挿入が容易に行われる。
【００４７】
この後、吊りボルト３に、座金５を嵌めるとともにナット４を螺合した上で、ナット４を上方にねじ込んで器具本体１２を押上げる。これにより、器具本体１２を介して設置装置３１が上向きの力を受けるとともに、その天井係止端部３２ａの埋め込み孔２縁部への引掛かりが強化されるので、設置装置３１が天井１に強固に固定されるとともに、この設置装置３１に対してがたつかないように器具本体１２が設けられる。
【００４８】
最後に、制光装置５１Ａを埋め込み孔２に挿入して天井１にねじ止めした上で、その際に制光装置５１Ａ内に挿入されたランプソケット１８にわたって光源２１を支持する。
【００４９】
こうして組立てられた照明器具１１Ａは、器具本体１２及びこれにランプソケット１８を介して支持された光源２１が低い位置に配置されているので、その遮光角θ１は図１（Ａ）に示すように浅い角度で形成される。
【００５０】
又、図１（Ｂ）に示すように本体支持部材３５に支持された器具本体１２が高い位置に配置されたアクセサリー付きの照明器具１１Ｂは、以下の手順で天井１に埋め込み設置される。
【００５１】
まず、ランプソケット１８及び点灯装置２５が取付けられている器具本体１２が、本体支持部材３５の主板部位３５ａの下側に支持された状態となるように、設置装置３１を操作する。
【００５２】
つまり、本体支持部材３５の支持アーム３６の係合端部３６ａを器具本体１２の係合孔１５から抜いた状態で、図１（Ａ）の照明器具１１Ａを基準とした場合、本体支持部材３５をベース部材３２に対して上下逆様となるように回転させる。こうして本体支持部材３５が所定の位置に回転されると、その位置で位置決め凸部４２が位置決め孔４１に係合する。この上で、支持アーム３６の係合端部３６ａを器具本体１２の係合孔１５に再び差し込んで、器具本体１２を設置装置３１に支持する。これにより、器具本体１２が高い位置に配置された状態が保持される。なお、この状態から既述の図１（Ａ）の照明器具１１Ａとするのに、器具本体１２が高い位置にある状態から既述の低い位置に配置する際にも、以上説明した器具本体１２の係合孔１５に対する支持アーム３６の係合端部３６ａの抜き差し操作が同様に行われる。
【００５３】
次に、器具本体１２及び設置装置３１を埋め込み孔２内に上向きに挿入して、設置装置３１の天井係止端部３２ａを埋め込み孔２の縁部に下方から引っ掛ける。この場合、前記挿入において器具本体１２のボルト通孔１４の夫々に上方から天井裏の吊りボルト３の先端部が通されるとともに、ベース部材３２に対する本体支持部材３５が、連結部材３９を支点として不用意に遊動しないように位置決め手段４０により保持されているので、ボルト通孔１４への吊りボルト３の挿入が容易に行われる。
【００５４】
この後、吊りボルト３に、座金５を嵌めるとともにナット４を螺合した上で、ナット４を上方にねじ込んで器具本体１２を押上げる。これにより、器具本体１２を介して設置装置３１が上向きの力を受けるとともに、その天井係止端部３２ａの埋め込み孔２縁部への引掛かりが強化されるので、設置装置３１が天井１に強固に固定されるとともに、この設置装置３１に対してがたつかないように器具本体１２が設けられる。
【００５５】
最後に、制光装置５１Ｂのアクセサリーホルダ５５を埋め込み孔２に挿入して天井１にねじ止めした上で、その際にアクセサリーホルダ５５内に挿入されたランプソケット１８にわたって光源２１を支持するとともに、このアクセサリーホルダ５５の下部内にアクセサリー５６を取付ける。こうした制光装置５１Ｂの取付けは、既述のように器具本体１２が高い位置に配置されていることにより可能である。
【００５６】
こうして組立てられた照明器具１１Ｂは、器具本体１２及びこれにランプソケット１８を介して支持された光源２１が高い位置に配置されているので、その遮光角θ２は図１（Ｂ）に示すように深い角度で形成される。なお、アクセサリー５６を取付けずにアクセサリーホルダ５５のみで制光装置５１Ｂを構成する場合には、遮光角θ１と遮光角θ２の間の比較的深い遮光角を形成できる。
【００５７】
以上のように本発明の照明器具は、天井１への埋め込み設置現場での照明器具１１Ａ，１１Ｂの組立てに際して、高さが異なる制光装置５１Ａ，５１Ｂの選択に適合できるとともに、選択された制光装置５１Ａ又は５１Ｂと光源２１の高さ位置によって規定される遮光角θ１又はθ２を形成した照明器具を組立てることができる。これとともに、ソケット取付け金具１７、ランプソケット１８、及び点灯装置２５が取付けられた器具本体１２、並びに設置装置３１を、下面開放型の照明器具１１Ａ及びアクセサリー付きの照明器具１１Ｂの共通部品とできる。したがって、既述の制光装置５１Ａ，５１Ｂの高さに応じた専用の設置装置を要しないで、制光装置５１Ａ，５１Ｂの選択に拘わらず照明器具を天井１に埋め込み設置することができるとともに、以上の部品共通化により、照明器具１１Ａ，１１Ｂの製造コストを低減できる。
【００５８】
しかも、照明器具１１Ａ，１１Ｂは、その設置装置３１の本体支持部材３５に設けた支持アーム３６の係合端部３６ａを、器具本体１２の本体側壁１２ｂの係合孔１５に抜き差し可能に係合させているので、本体支持部材３５をベース部材３２に対して上下逆様に反転させる際に、本体側壁１２ｂを撓ませることで、その係合孔１５と支持アーム３６の係合端部３６ａとの係合を外すことができる。このため、係合端部３６ａを係合孔１５に抜き差しした上で、連結部材３９を支点として本体支持部材３５を１８０度上下に反転することが可能である。この後、回転操作された本体支持部材３５に対して係合端部３６ａを係合孔１５に係合させることで、器具本体１２を上下逆様に反転することなく高い位置と低い位置とのいずれかの位置に配置できる。これとともに、例えば器具本体１２と本体支持部材３５とを枢軸等により連結する等の複雑な構成を採用することなく、既述の簡単な構成で、器具本体１２を上下逆様に反転させることなく器具本体１２の高さ位置を変えることができる。
【図面の簡単な説明】
【００５９】
【図１】（Ａ）は本発明を下面が開放された埋め込み型の照明器具として実施した例を示す断面図。（Ｂ）は本発明をアクセサリー付き埋め込み型の照明器具として実施した例を示す断面図。
【図２】図１（Ａ）及び図１（Ｂ）に示した照明器具が備える器具本体と設置装置との関係を示す平面図。
【図３】図１（Ａ）及び図１（Ｂ）に示した照明器具の器具本体を一部切欠いて示す側面図。
【図４】図１（Ａ）及び図１（Ｂ）中矢印Ｆ４−Ｆ４線に沿って示す断面図。
【図５】（Ａ）は図１（Ａ）及び図１（Ｂ）に示した照明器具の設置装置が有したベース部材の一部を示す側面図。（Ｂ）は図５（Ａ）中矢印Ｆ５Ｂ−Ｆ５Ｂ線に沿って示す断面図。
【図６】（Ａ）は図１（Ａ）及び（Ｂ）に示した照明器具の設置装置が有した本体支持部材の一部を示す側面図。（Ｂ）は図６（Ａ）中矢印Ｆ６Ｂ−Ｆ６Ｂ線に沿って示す断面図。
【図７】（Ａ）（Ｂ）は本発明に係る他の照明器具が備える設置装置の一部を夫々異なる状態で示す側面図。
【図８】図７（Ａ）中矢印Ｆ８方向から見た平面図。
【図９】図７（Ａ）中矢印Ｆ９−Ｆ９線に沿う断面図。
【符号の説明】
【００６０】
１…天井、２…埋め込み孔、３…吊りボルト、４…ナット、１１Ａ…下面開放型の照明器具、１１Ｂ…アクセサリー付きの照明器具、１２…器具本体、１２ａ…本体上壁、１２ｂ…本体側壁、１４…ボルト通孔、１５…係合孔、２１…光源、２５…点灯装置、３１…設置装置、３２…ベース部材、３２ａ…天井係止端部、３５…本体支持部材、３６…支持アーム、３６ａ…係合端部、３９…転結部材、４０…位置決め手段、５１Ａ，５１Ｂ…制光装置、５２…カバー部、５６…アクセサリー
【図１】
2009146818.tif 000003
【図２】
2009146818.tif 000004
【図３】
2009146818.tif 000005
【図４】
2009146818.tif 000006
【図５】
2009146818.tif 000007
【図６】
2009146818.tif 000008
【図７】
2009146818.tif 000009
【図８】
2009146818.tif 000010
【図９】
2009146818.tif 000011